(57)【要約】【課題】  ネットワークに接続される複写機の制御プログラムを、その複写機に合った条件で自動的に行うことが可能な制御プログラム更新方法及びその制御プログラム更新方法を用いる画像形成装置を提供すること。【解決手段】  ＰＣ３または入力手段１０３を用いてプログラムの更新をするための参照場所、更新間隔及び更新日時を含む更新条件を示す更新条件情報を入力できるようにし、入力された更新条件を受けて更新条件情報に基づいて、制御プログラム格納手段１０５に格納された自己の制御プログラムの更新を行う更新手段１００を備える。【選択図】      図８
2006018634.tif 000002
【特許請求の範囲】
【請求項１】
ネットワークに接続され、自己の制御プログラムを前記ネットワークを介して取得する制御プログラムに更新することが可能な画像形成装置であって、
前記プログラムの更新をするための更新条件を示す更新条件情報を受け付けて、前記受け付けた更新条件情報に基づいて、自己の制御プログラムの更新を行う更新手段を備えることを特徴とする画像形成装置。
【請求項２】
前記更新条件情報は、前記ネットワーク上の参照場所を示す参照場所情報を含み、
前記更新手段は、前記受け付けた参照場所情報が示す参照場所を参照し、その参照場所に自己の制御プログラムより新しい制御プログラムがあれば、自己の制御プログラムをその新しい制御プログラムに更新する請求項１に記載の画像形成装置。
【請求項３】
前記更新条件情報は、更新間隔を示す更新間隔情報及び更新日時を示す更新日時情報を更に含み、
前記更新手段は、前記更新間隔情報が示す更新間隔及び前記更新日時情報が示す更新日時で前記参照場所を参照する請求項２に記載の画像形成装置。
【請求項４】
前記更新条件情報を入力するための入力手段を更に備え、
前記更新手段は、前記入力手段で入力された前記更新条件情報を受け付ける請求項１乃至請求項３のいずれかに記載の画像形成装置。
【請求項５】
前記更新手段は、前記ネットワークを介して接続される外部端末から前記更新条件情報を受け付ける請求項１乃至請求項３のいずれかに記載の画像形成装置。
【請求項６】
ネットワークに接続される画像形成装置で行う自己の制御プログラムを前記ネットワークを介して取得する制御プログラムに更新する制御プログラム更新方法であって、
前記プログラムの更新をするための更新条件を示す更新条件情報を受け付ける段階と、
前記受け付けた更新条件情報に基づいて、自己の制御プログラムの更新を行う段階とを含むことを特徴とする制御プログラム更新方法。
【発明の詳細な説明】
【技術分野】
【０００１】
本発明は、画像形成装置に関し、特にネットワークプリンタとして機能し、自己の制御プログラムの更新を行う画像形成装置に関する。
に関する。
【背景技術】
【０００２】
近年、例えば、ネットワークプリンタとして多用される様になった複写機やプリンタといった機器においては、管理サービス会社がインターネットやＬＡＮ（Ｌｏｃａｌ  Ａｒｅａ  Ｎｅｔｗｏｒｋ）を活用してユーザの機器を管理し、新たな機能を付与する場合等の制御プログラムの更新は、管理用のサーバにプログラムデータを用意し、そこに機器がアクセスすることでダウンロードする形態を採っている場合がある。即ち、ＬＡＮがインターネットに接続しているユーザでは、管理サービス会社側に有るセンターサーバに個々の機器が外部回線を通じてアクセスし、ＬＡＮがクローズドであるユーザはＬＡＮのネットワークデバイス管理用サーバにサービスマンがプログラムデータをインストールしておいて、個々の機器がアクセスすることによって、それぞれ更新が行われる。
【０００３】
このような形態において、ＬＡＮ内のプログラムのバージョンがまちまちになり、不都合が生じないようにＬＡＮ内の機器のプログラムの更新を効率良く、且つ確実に行い、機器のバージョンの不揃いによる使い勝手の悪さ等の問題を発生させないようにした画像形成装置がある（例えば、特許文献１参照。）。
【０００４】
また、ホスト・コンピュータに格納されている機器のドライバソフトウェアを常に最新のバージョンのものにするために、ホスト・コンピュータの電源投入から機器を利用するまでの間に対象の機器と一連の通信を行い更新するようにしたものがある（例えば、特許文献２参照。）。
【０００５】
【特許文献１】特開２００３−３３３２６１号公報
【特許文献２】特開平７−２１９８６５号公報
【発明の開示】
【発明が解決しようとする課題】
【０００６】
ところが、複写機の使用環境によって、他の複写機とは異なる制御プログラムで動作させる場合がある。例えば、あるサイズの複写の比率が多いために、用紙搬送系の部品の寿命が短くなるような使い方では、そのサイズ専用のカウンタをプログラムに設けて、部品交換等のメンテナンスの管理に用いる場合があるし、ユーザの出力する画像のサイズが僅かに仕様より大きい場合にそのサイズに対応させるように特別に変更するような場合がある。このような場合には、特許文献１記載の画像形成装置のようにＬＡＮ内の機器のプログラムのバージョンを揃えて更新することや、他の機器と同じセンターサーバにアクセスして更新することはできない。
【０００７】
したがって、ＬＡＮに接続しなければ、ネットワークプリンタとして使用できないし、接続する場合には、自動的に更新しないように何らかのプロテクトをする必要がある。また、いずれの場合であってもこのような複写機の制御プログラムの更新は、サービスマンが例えばＲＯＭ交換などを行ってその複写機に対応する制御プログラムに更新する必要がある。
【０００８】
また、特許文献２に記載のホスト・コンピュータの電源投入から機器を利用するまでの間に更新するものでは、例えば、ユーザが機器を使用しているときや、使おうとするときに更新処理が入ってしまうことがあり、機器の使用効率が低下する。
【０００９】
本発明は、上記事情に鑑みてなされたものであり、その目的とするところは、ネットワークに接続される複写機の制御プログラムを、その複写機に合った条件で自動的に行うことが可能な制御プログラム更新方法及びその制御プログラム更新方法を用いる画像形成装置を提供することにある。
【課題を解決するための手段】
【００１０】
上記課題を解決するために請求項１記載の発明は、ネットワークに接続され、自己の制御プログラムを前記ネットワークを介して取得する制御プログラムに更新することが可能な画像形成装置であって、前記プログラムの更新をするための更新条件を示す更新条件情報を受け付けて、前記受け付けた更新条件情報に基づいて、自己の制御プログラムの更新を行う更新手段を備えることを特徴としている。
【００１１】
また、請求項２記載の発明は、前記更新条件情報は、前記ネットワーク上の参照場所を示す参照場所情報を含み、前記更新手段は、前記受け付けた参照場所情報が示す参照場所を参照し、その参照場所に自己の制御プログラムより新しい制御プログラムがあれば、自己の制御プログラムをその新しい制御プログラムに更新することを特徴としている。
【００１２】
また、請求項３記載の発明は、前記更新条件情報は、更新間隔を示す更新間隔情報及び更新日時を示す更新日時情報を更に含み、前記更新手段は、前記更新間隔情報が示す更新間隔及び前記更新日時情報が示す更新日時で前記参照場所を参照することを特徴としている。
【００１３】
また、請求項４記載の発明は、前記更新条件情報を入力するための入力手段を更に備え、前記更新手段は、前記入力手段で入力された前記更新条件情報を受け付けることを特徴としている。
【００１４】
また、請求項５記載の発明は、前記更新手段は、前記ネットワークを介して接続される外部端末から前記更新条件情報を受け付けることを特徴としている。
【００１５】
また、請求項６記載の発明は、ネットワークに接続される画像形成装置で行う自己の制御プログラムを前記ネットワークを介して取得する制御プログラムに更新する制御プログラム更新方法であって、前記プログラムの更新をするための更新条件を示す更新条件情報を受け付ける段階と、前記受け付けた更新条件情報に基づいて、自己の制御プログラムの更新を行う段階とを含むことを特徴としている。
【発明の効果】
【００１６】
請求項１記載の画像形成装置によれば、受け付けた更新条件で自動的に制御プログラムを更新することができる。
【００１７】
請求項２記載の画像形成装置によれば、受け付けた参照場所を参照して制御プログラムを更新するので、画像形成装置に対応する制御プログラムに自動的に更新することができる。
【００１８】
請求項３記載の画像形成装置によれば、受け付けた更新間隔及び更新日時で参照情報が示す参照場所を参照して制御プログラムを更新するので、画像形成装置が頻繁に使用される日・時等を避けることができ、画像形成装置を効率よく使用することができる。
【００１９】
請求項４記載の画像形成装置によれば、更新条件の入力を複写機に備えた入力手段で容易に行うことができる。
【００２０】
請求項５記載の画像形成装置によれば、更新条件の入力を外部端末から遠隔操作で行うことができる。
【００２１】
請求項６記載の制御プログラム更新方法によれば、受け付けた更新条件で自動的に制御プログラムを更新することができる。
【発明を実施するための最良の形態】
【００２２】
以下、本発明に係る画像形成装置について、図面を参照しながら詳細に説明する。尚、本発明に係る画像形成装置は、プリンタ、複写機、ファクシミリ、複合機等、種々の画像形成装置に対して適応可能なものであるが、以下においては、画像形成装置が複写機であるものとして説明する。
【００２３】
（構成）
図１は、一実施の形態としての複写機１の電気的構成を示すブロック図である。図１に示すように、本実施の形態としての複写機１（図では、１、１Ａ及び１Ｂの３台）は、ネットワークＮに接続されていて、ネットワークＮには、さらにサーバ２（図では、２Ａ及び２Ｂの２台）及びＰＣ（Ｐｅｒｓｏｎａｌ  Ｃｏｍｐｕｔｅｒ）が接続されている。
【００２４】
ネットワークＮは、コンピュータシステム、端末、データ通信設備を相互に接続するものであり、専用回線、公衆回線のような有線での接続でもよいし、通信衛星などを介する無線での接続でもよい。また、いわゆる、ＬＡＮ（Ｌｏｃａｌ  Ａｒｅａ  Ｎｅｔｗｏｒｋ）やインターネットなどもこれに含まれる。
【００２５】
サーバ２は、複写機１の制御プログラムを格納し、ネットワークを介しての要求に応じて制御プログラムを送信する機能を有する、いわゆるｆｔｐ（ｆｉｌｅ  ｔｒａｎｓｆｅｒ  ｐｒｏｔｏｃｏｌ）に対応したｆｔｐサーバである。
【００２６】
外部端末としてのＰＣ３は、いわゆる、パーソナルコンピュータであって、モニタ等の表示部と、キーボードやマウス等の操作部とを備えている。
【００２７】
複写機１は、通常の複写機としての機能とＰＣ３や他の複写機１Ａ、１Ｂで作成した画像データを受けて実行するネットワークプリンタとしての機能と、ネットワークＮ上のサーバ２から制御プログラムをダウンロードして書き換える機能を備えている。また、そのために図１に示すように、ＣＰＵ１１、ＲＡＭ１２、不揮発メモリ１３、通信Ｉ／Ｆ（インターフェイス）１４、操作表示部１５、プログラム伸長部１６、Ｉ／Ｆ（インターフェイス）１７、及び、ハードウェア群１８で構成されている。
【００２８】
通信Ｉ／Ｆ１４は、ネットワークを介して複写機１Ａ、１Ｂ、ＰＣ３及びサーバ２等と画像データ、プログラム及び各種データ等の通信をするためのものである。
【００２９】
操作表示部１５は、具体的構成として、例えば操作の受付けを行うタッチパネルとパターンや文字の表示を行う表示器としてのＬＣＤとが重ねて配置されてなる周知のＬＣＤタッチパネルを採用すればよい。ＬＣＤに表示されている位置でタッチパネルを押下して各種入力及び操作が可能となっている。
【００３０】
不揮発メモリ１３は、電源断となっても記憶内容が保持でき、内容の消去及び書き込みが可能なもので、いわゆるフラッシュメモリでよい。また、この不揮発メモリ１３には、電源起動時の制御を行うためのブートプログラム、本装置を制御するための制御プログラム、及び、制御プログラムを実行するときに必要なパラメータが、例えば、図２に示すように格納されている。また、制御プログラムは、圧縮されて格納されている。また、ＰＣ３または操作表示部１５で入力される更新条件は、不揮発メモリ１３にパラメータとして格納される。
【００３１】
プログラム伸長部１６は、電源起動時にブートプログラムに基づいて制御され、不揮発メモリ１３内の圧縮された制御プログラムを伸長する伸長手段としての機能を有する。
【００３２】
ＲＡＭ１２は、電源起動時にプログラム伸長部１６で伸長された制御プログラム及び各種のプログラムを記憶する。不揮発メモリ１３はそのプログラムを実行するときに必要な各種パラメータを記憶する。
【００３３】
ハードウェア群１８は、Ｉ／Ｆ１７を介して接続され、画像形成を行うためのものである。図示しないが、例えば、電子写真方式を用いる場合を例とすると、画像読取部、画像書込部、画像形成部、転写紙搬送部及び排紙トレイを含んで構成されている。画像読取部は、原稿の原稿面（画像が形成されている面）の画像を読み取って電気信号（画像データ）に変換する。画像書込部は例えば、半導体レーザを用いて感光体ドラム上に、画像データに基づいて静電潜像を形成する。そして、画像形成部は、この静電潜像にトナー粒子を付着させてこれを顕像化し、その後に転写紙搬送部で搬送される転写紙上に転写して、トナー像を形成しトナー粒子の定着を行い排紙トレイへ排紙する。される。また、上記した感光体ドラム３１から転写紙Ｐへのトナー像の転写を、転写紙Ｐの一方の面のみへ行うのではなく、その他方の面に対しても実施する場合には、片面複写を終えた転写紙Ｐは転写紙反転部４２へと搬送し、転写紙Ｐを反転し、再び画像書込部２０へ搬送して、前に転写された面とは、別の面にトナー像の転写をし、上記定着及び排紙トレイへの排紙を行う。
【００３４】
ＣＰＵ１１は、ＲＡＭ１２に記憶された制御プログラム及び各種パラメータに基づいて装置全体の制御を行う制御手段としての機能を有する。
【００３５】
図８は、本発明の制御プログラム書き換えのための制御構成を示す機能ブロック図である。
【００３６】
入力手段１０３は、後述する図３乃至図６に示す更新条件入力画面を表示し、プログラムの更新条件を入力するためのもので、上述の操作表示部１５に含まれる。
【００３７】
ＰＣ３は、少なくとも後述する図３乃至図６に示す更新条件入力画面を表示し、プログラムの更新条件を入力するための機能と、入力された更新条件を示す更新条件情報を複写機１等に送信する機能とを有している。
【００３８】
更新手段１００は、更新条件に基づいて制御プログラムを更新するもので、入力手段１０３から入力またはＰＣ３から送信される更新条件を受け付けて、更新情報格納手段１０４に設定または既に格納されている更新条件を書換え、その設定または書換えた更新条件に基づいて、制御プログラム格納手段１０５に格納されている制御プログラムをサーバ３の制御プログラムに更新するようにプログラム書換手段１０２を制御するプログラム書換制御手段１０１と、制御プログラムの更新を行うプログラム書換手段１０２とを含んでいる。この更新手段１００の機能は、上述のＣＰＵ１１が有し、更新情報格納手段１０４及び制御プログラム格納手段１０５の機能は上述の不揮発メモリ１３が有する。
【００３９】
（プログラムの更新条件の設定）
次に、プログラムの更新条件の設定について説明する。また、更新条件とは、参照場所、更新間隔及び更新日時である。また、更新条件は、操作表示部１５またはＰＣ３を用いて入力し設定することができるが、まず、入力手段１０３としての操作表示部１５を用いた場合について説明する。
【００４０】
操作表示部１５を操作して、図３に示す更新条件入力画面５０を表示させる。更新条件入力画面５０には、画面の説明や作業指示等のメッセージを表示するためのメッセージ表示欄５０１、現在設定されている更新間隔を表示する更新間隔表示欄５０３、現在設定されている更新日時を表示する更新日時表示欄５０５、及び、現在設定されている参照場所を表示する参照場所表示欄５０７が表示される。表示される各設定内容は、前回設定されたもの、または、未設定の場合には制御プログラムにデフォルトとして設定されているものが表示される。さらに、更新条件入力画面５０には、図４に示す更新間隔を入力するための更新間隔入力画面５１を表示させる更新間隔キー５０２、図５に示す更新日時を入力するための更新日時入力画面５２を表示させる更新時間キー５０４、図６に示す参照場所を入力するための参照場所入力画面５３を表示させる参照場所キー５０６、及び、表示されている更新条件で設定するために押下する更新開始キー５０８が表示される。
【００４１】
図４に示すように、更新間隔入力画面５１には、画面の説明や作業指示等のメッセージを表示するためのメッセージ表示欄５１１、「年」、「月」、「週」及び「日」の単位を選択するための更新単位選択キー５１２、テンキー５１６、入力された更新間隔が表示される更新間隔表示欄５１３、表示されている更新間隔とするための決定キー５１４、及び、前の画面に戻すための前画面キー５１５が表示されている。
【００４２】
図５に示すように、更新日時入力画面５２には、画面の説明や作業指示等のメッセージを表示するためのメッセージ表示欄５２１、更新間隔に応じ入力される日時を表示するための日時表示欄５２２、日時表示欄５２２に「月」、「日」、「週」、「時間」及び「分」等の入力対象を選択するための設定キー５２３、選択された入力対象の値を入力するためのテンキー５２６、表示されている更新日時とするための決定キー５２４、及び、前の画面に戻すための前画面キー５２５が表示されている。
【００４３】
図６に示すように、参照場所入力画面５３には、画面の説明や作業指示等のメッセージを表示するためのメッセージ表示欄５３１、入力される参照場所を表示するための参照場所表示欄５３２、参照場所を入力するためのキーボード対応キー５３３、表示されている参照場所とするための決定キー５２４、及び、前の画面に戻すための前画面キー５２５が表示されている。
【００４４】
更新間隔及び更新日時の入力を、例として、２週毎の月曜日の２３：００として説明する。まず、更新間隔キー５０２を押下し、更新間隔入力画面５１を表示させる。更新間隔の入力は、更新単位選択キー５１２及びテンキー５１６を用いて、例えば、２週毎とするには、まず、週を押下し、すると更新間隔表示欄５１３で１週と表示され、他は網掛けとなり、更に、テンキー５１６で２を押下すれば表示が２週となる。そこで、決定キー５１４を押下すると、更新日時入力画面５２に遷移する。この場合には、日時表示欄５２２には、「曜日」、「時間」及び「分」が入力可能に表示され、設定キー５２３で入力対象を選択し、テンキー５２６を用いて入力する。曜日はテンキー５２６に表示した「＜」「＞」で表示を切り替えながら入力するものとする。また、更新間隔の単位が年単位ならば、「月」、「日」、「時間」及び「分」が、更新間隔の単位が月単位ならば、「日」、「時間」及び「分」が、日単位ならば「時間」及び「分」が入力可能に表示される。入力が終了したら、決定キー５２４を押下すると、更新条件入力画面５０に遷移し、入力した更新間隔及び更新日時が、更新間隔表示欄５０３及び更新日時表示欄５０５に表示される。更新日時のみを入力する場合は、更新日時キー５０４を押下して更新日時入力画面５２を表示させて同様に行えばよい。
【００４５】
参照場所の入力を、参照するサーバをサーバ２Ｂとし、サーバを示すＵＲＬ（Ｕｎｉｆｏｒｍ  Ｒｅｓｏｕｒｃｅ  Ｌｏｃａｔｏｒ）の入力を例として説明する。まず、参照場所キー５０６を押下し、参照場所入力画面５３を表示させる。参照場所の入力は、キーボード対応キー５３３を用いて所望のＵＲＬを入力する。入力されたＵＲＬは、参照場所表示欄５３２に表示される。入力が終了したら、決定キー５３４を押下すると、更新条件入力画面５０に遷移し、入力した参照場所が、参照場所表示欄５０７に表示される。
【００４６】
更新間隔、更新日時、及び、参照場所の入力が終わったら、更新開始キー５０８を押下すると、不揮発メモリ１３及びＲＡＭ１２のパラメータが、入力した更新間隔、更新日時、及び、参照場所をそれぞれ示す更新間隔情報、更新日時情報、及び、参照場所情報に書換えられ入力した更新条件が設定される。
【００４７】
また、更新条件の入力をＰＣを用いて行う場合には、キーボードやマウス等を用いて操作して、例えば上述の各画面をモニタに表示して同様に入力を行い、例えば、更新開始キー５０８を押下することで、更新間隔情報、更新日時情報、及び、参照場所情報が複写機送信され、複写機がそれを受信し、不揮発メモリ１３及びＲＡＭ１２のパラメータが、受信した更新間隔情報、更新日時情報、及び、参照場所情報に書換えられ、ＰＣで入力した更新条件が設定される。これにより、遠隔からの設定が可能となり、例えば、管理センタで一括して設定することも可能となる。
【００４８】
（プログラム書換え手順）
図７は、プログラム更新手順を示すフローチャート図である。図７を用いてプログラム更新手順について説明する。
【００４９】
まず、ＣＰＵ１１のプログラム書換制御手段は、図示しないシステム時計の現在日時を参照し、設定された更新間隔及び更新日時から更新を実行する日時か否かを判定する（図７ステップＳ１０１、以下Ｓ１０１と省略して示す）。更新を実行する日時であった場合には（Ｓ１０１、Ｙｅｓ）、プログラムの更新を行うようにプログラム書換手段１０２を制御する。一方、更新を実行する日時ではなかった場合には（Ｓ１０１、Ｎｏ）、判定（Ｓ１０１）を繰り返す。この更新を実行する日時の判定は、例えば、はじめの更新を実行する日時を設定すると、更新間隔でもって以降の更新を実行する日時とし、その時刻と現在日時を比較して行われる。
【００５０】
プログラム書換手段１０２は、参照場所として設定されたサーバ２Ｂに格納されている制御プログラムと自己の不揮発メモリ１３に格納されている制御プログラムとのどちらが新しいかを比較する（Ｓ１０２）。この比較は、例えば、制御プログラムに作成日時情報を（例えば、２００４年２月１８日１１時２３分１５秒に作成されたものならば、「２００４０２１８１１２３１５」を作成日時情報として）付加しておけば、ＣＰＵ１１は、サーバ２Ｂの制御プログラムの作成日時情報を取得して自己の不揮発メモリ１３の制御プログラムの作成日時情報とを比較して行う。または、制御プログラムの名称を新旧が比較できるような名称（例えば、はじめの制御プログラムをＰ１００００として次からは連番）とし、ＣＰＵ１１は、サーバ２Ｂの制御プログラムの名称を取得して自己の不揮発メモリ１３の制御プログラムの名称とを比較して行ってもよい。
【００５１】
そして、サーバ２Ｂに新しい制御プログラムがあった場合には（Ｓ１０３）、その制御プログラムの送信をサーバ２Ｂに要求し、自己の不揮発メモリ１３の制御プログラムをサーバ２Ｂから送信されてくる新しい制御プログラムに更新する（Ｓ１０４）。この更新が正常に行われたか否かは、プログラムのチェックサムで確認する。更新ができたら終了する。そして、次に電源起動時は、書換えられた不揮発メモリ１３の制御プログラムが伸長されＲＡＭ１２に記憶されるので、ＣＰＵ１１は書換えられた制御プログラムに基づいて複写機１の各部を制御する。
【００５２】
このように、所望の参照場所の設定が可能であるから、例えば、複写機１はサーバ２Ｂを参照し、複写機１Ａはサーバ２Ａを参照するようにでき、それぞれの複写機に対応する制御プログラムに自動的に更新することができる。また、更新間隔、更新日時を指定できるので、複写機が頻繁に使用される日・時を避けることができ、複写機を効率よく使用することができる。
【図面の簡単な説明】
【００５３】
【図１】本発明に係る一実施の形態の複写機の電気的構成を示すブロック図である。
【図２】図１の不揮発メモリに種々のデータが格納された様子を模式的に示す説明図である。
【図３】操作表示部に表示される画面の一例を示す図である。
【図４】操作表示部に表示される画面の一例を示す図である。
【図５】操作表示部に表示される画面の一例を示す図である。
【図６】操作表示部に表示される画面の一例を示す図である。
【図７】制御プログラム書換え手順の一例を示すフローチャートである。
【図８】本発明の制御プログラム書き換えのための制御構成を示す機能ブロック図である。
【符号の説明】
【００５４】
１  複写機
１１  ＣＰＵ
１２  ＲＡＭ
１３  不揮発メモリ
１４  通信Ｉ／Ｆ
１５  操作表示部
１６  プログラム伸長部
１７  Ｉ／Ｆ
１８  ハードウェア群
２  サーバ
３  ＰＣ
１００  更新手段
１０１  プログラム書換制御手段
１０２  プログラム書換手段
１０３  入力手段
１０４  更新情報格納手段
１０５  制御プログラム格納手段
Ｎ  ネットワーク
【図１】
2006018634.tif 000003
【図２】
2006018634.tif 000004
【図３】
2006018634.tif 000005
【図４】
2006018634.tif 000006
【図５】
2006018634.tif 000007
【図６】
2006018634.tif 000008
【図７】
2006018634.tif 000009
【図８】
2006018634.tif 000010